(57)【要約】【課題】  異なるメッセージ使用を有する端末同士でメッセージを送受信できるメッセージ配信システムを提供する。【解決手段】構内交換機１と、ＰＨＳ端末２１、無線ＬＡＮ端末４１と、メッセージ配信装置３をＬＡＮ７を介して接続したメッセージ配信システムにおいて、メッセージ配信装置３が、通信部と、メッセージ受信部と、送信側端末からのメッセージの仕様を受信側端末装置のメッセージの仕様に変換するメッセージ変換部と、メッセージ送信部と、端末の通信アドレスまたは内線番号と当該端末のメッセージの仕様を端末ごとに記述した端末仕様対応表と、送信するメッセージの送信側端末のアドレスまたは内線番号と受信側端末の通信アドレスまたは内線番号と当該メッセージを特徴付けるメッセージＩＤを記述した送信履歴を格納したデータベースを有し、送信側端末からのメッセージを受信側端末のメッセージ仕様に変換して当該受信側端末へ送信する。【選択図】        図１
2007013268.tif 000002
【特許請求の範囲】
【請求項１】
構内交換機とＰＨＳ端末および／または無線ＬＡＮ端末からなる端末とメッセージ配信装置をＬＡＮを介して接続したメッセージ配信システムにおいて、
前記メッセージ配信装置が、
データ系のネットワークおよび音声系のネットワークと通信する通信部と、
データ系ネットワークまたは音声系ネットワークからメッセージを受信するメッセージ受信部と、
データ系ネットワークまたは音声系ネットワークに接続された送信側端末から受信したメッセージの仕様をデータ系ネットワーク又は音声系ネットワークに接続された受信側端末装置のメッセージの仕様に変換するメッセージ変換部と、
変換したメッセージを受信側端末へ送信するメッセージ送信部と、
端末の通信アドレスまたは内線番号と当該端末のメッセージの仕様を端末ごとに記述した端末仕様対応表と、送信するメッセージの送信側端末のアドレスまたは内線番号と受信側端末の通信アドレスまたは内線番号と当該メッセージを特徴付けるメッセージＩＤを記述した送信履歴を格納したデータベースを有し、
送信側端末からのメッセージを受信側端末のメッセージ仕様に変換して当該受信側端末へ送信する
ことを特徴とするメッセージ配信システム。
【請求項２】
請求項１記載のメッセージ配信システムにおいて、
前記メッセージ配信装置が、
メッセージ変換するときに、当該メッセージを特徴付けるメッセージＩＤをメッセージに付加するとともに当該メッセージとメッセージＩＤを送信履歴に記述する
ことを特徴とするメッセージ配信システム。
【請求項３】
請求項２記載のメッセージ配信システムにおいて、
受信側端末から返信メッセージを受信したときに、メッセージに付加されたメッセージＩＤを用いて送信履歴を参照して当該返信メッセージの配信先を決定する
ことを特徴とするメッセージ配信システム。
【請求項４】
請求項1ないし請求項３に記載のメッセージ配信システムを構成するメッセージ配信装置において、
データ系のネットワークおよび音声系のネットワークと通信する通信部と、
データ系ネットワークまたは音声系ネットワークからメッセージを受信するメッセージ受信部と、
データ系ネットワークまたは音声系ネットワークに接続された送信側端末から受信したメッセージの仕様をデータ系ネットワーク又は音声系ネットワークに接続された受信側端末装置のメッセージの仕様に変換するメッセージ変換部と、
変換したメッセージを受信側端末へ送信するメッセージ送信部と、
ネットワークに接続される端末の通信アドレスまたは内線番号と当該端末のメッセージの仕様を端末ごとに記述した送信履歴を格納したデータベースと、
送信側端末から送信メッセージを受信すると端末使用対応表を参照して当該メッセージを受信側端末のメッセージ仕様に変換するとともに、送信履歴に当該メッセージの送信履歴を記述する制御手段を有する
ことを特徴とするメッセージ配信装置。
【発明の詳細な説明】
【技術分野】
【０００１】
本発明は、構内交換機とＰＨＳ端末および／または無線ＬＡＮ端末を有する交換システムにおいて、メッセージ配信装置を介することにより異なる方式で構内交換機に接続されているＰＨＳ端末と無線ＬＡＮ端末間など異なるメッセージ仕様の端末装置間でメッセージを送受信できるメッセージ配信システムおよびメッセージ配信装置に関する。
【背景技術】
【０００２】
従来のメッセージ配信システムは、クライアントが自己のパソコン（端末）からログオンして表示される画面上にメッセージを入力してネット上に送信すると、ネット上に配置されたメッセージ配信サーバが送信者の端末に変わって送信先の端末にメッセージを送信するように構成されているので、メッセージ配信サーバが送信先の端末種別毎の仕様に沿った送信処理を実行して異なるプロトコルの通信端末へメッセージ配信することができるようにされている（例えば、特許文献１参照）。
【０００３】
また、他のメッセージ配信システムとして、異社間文字メッセージサービスセンターを介して異なる通信サービス提供会社同士を接続し、利用者の端末からネットワークを介して送信されてくる文字メッセージ情報を異社間文字メッセージサービスセンターで一度受信し、このサービスセンター側で発信元および送信先の通信サービス提供会社を判断して各通信サービス提供会社の文字メッセージ仕様の差に対応して送信先の利用者端末で受信可能な文字メッセージ情報へ変更した後、送信先の利用者端末に送信するシステムが提案されている（例えば、特許文献２参照）。
【特許文献１】特開２００４−１６５７５６号公報
【特許文献２】特開２００３−１６３６９５号公報
【発明の開示】
【発明が解決しようとする課題】
【０００４】
しかしながら、上記従来技術ではメッセージ配信サーバが送信者の端末に変わってメッセージを送信するように構成しているので、送信先端末それぞれに適した送信処理を実行することができるが、使用するメッセージの仕様が異なる端末間、通信プロトコルの異なる端末装置間では、メッセージを直接送受信することはできない。
【０００５】
また、メッセージ配信サーバがメッセージを送信する構成となっているので、サーバに接続されている回線の番号が送信されたメッセージの発信者番号となったり、送信者情報がサーバに割り当てられている情報となって受信されてしまう。この状態でメッセージを返信すると、送信者の端末ではなくサーバへメッセージを送信することになってしまう。
【０００６】
さらに、ＰＨＳ端末と無線ＬＡＮ端末が同一の構内交換機に接続されている環境である場合、異社間の端末でもそれぞれの仕様に沿ったメッセージに変換する文字メッセージサービスセンターであっても、異なるプロトコルで接続されているＰＨＳ端末と無線ＬＡＮ端末ではメッセージを送受信することはできない。
【０００７】
本発明は、上記従来の技術の有する問題に鑑み、異なる通信サービス提供会社同士を接続し、メッセージ配信装置から異る通信サービス提供会社の端末へそれぞれの端末種別で受信できる仕様に沿ったメッセージを配信する処理に加え、音声系のネットワークに接続されたＰＨＳ端末やデータ系のネットワークに接続された無線ＬＡＮ端末のように異なるプロトコルで接続されている端末間同士でメッセージの送受信を実現することを目的とする。
【０００８】
また、本発明は、ＬＡＮに収容されたパソコンからメッセージ配信装置にログオンし表示される画面上からメッセージを入力して送信した場合でも、受信者側が端末で返信処理をしてメッセージを送信すると、サーバで一度受信し内部で保持している記憶部から以前送信した内容を元に返信先の情報を割り出し、返信先端末の仕様に合わせたメッセージを再作成して返信することができるメッセージ配信装置を提供することを目的とする。
【０００９】
これにより、メッセージ受信者は内線番号などの送信元の端末固有情報を知らなくても受信端末が有する返信処理をするだけでメッセージの返信が実現できる。
【課題を解決するための手段】
【００１０】
上記目的を達成するために、本発明では、メッセージ配信システムを、メッセージ送受信機能を内蔵したＰＨＳ端末および／または無線ＬＡＮ端末と、これらの端末をＬＡＮを介して無線接続しメッセージ送信時の呼制御を行う構内交換機と、メッセージ送信時にメッセージの仕様をメッセージ送信先端末の仕様に合ったメッセージに変換して中継するメッセージ変換制御サーバ（メッセージ配信装置）とから構成する。
【００１１】
上記、メッセージ配信システムにおいて、メッセージ配信装置は、構内交換機やメッセージ送信端末からメッセージを受信する受信部と、受信したメッセージの送信先をデータベースから検索する検索部と、端末種別に適した仕様（プロトコル）のメッセージへ変換する変換部と、変換後のメッセージを送信する送信部を有して構成される。
【００１２】
上記課題を解決するために、本発明は、構内交換機とＰＨＳ端末および／または無線ＬＡＮ端末からなる端末とメッセージ配信装置をＬＡＮを介して接続したメッセージ配信システムにおいて、前記メッセージ配信装置が、データ系のネットワークおよび音声系のネットワークと通信する通信部と、データ系ネットワークまたは音声系ネットワークからメッセージを受信するメッセージ受信部と、データ系ネットワークまたは音声系ネットワークに接続された送信側端末から受信したメッセージの仕様をデータ系ネットワーク又は音声系ネットワークに接続された受信側端末装置のメッセージの仕様に変換するメッセージ変換部と、変換したメッセージを受信側端末へ送信するメッセージ送信部と、端末の通信アドレスまたは内線番号と当該端末のメッセージの仕様を端末ごとに記述した端末仕様対応表と、送信するメッセージの送信側端末のアドレスまたは内線番号と受信側端末の通信アドレスまたは内線番号と当該メッセージを特徴付けるメッセージＩＤを記述した送信履歴を格納したデータベースを有し、送信側端末からのメッセージを受信側端末のメッセージ仕様に変換して当該受信側端末へ送信するようにした。
【００１３】
本発明は、上記メッセージ配信システムにおいて、メッセージ配信装置が、メッセージ変換するときに、当該メッセージを特徴付けるメッセージＩＤをメッセージに付加するとともに当該メッセージとメッセージＩＤを送信履歴に記述するようにした。さらに、このメッセージ配信システムにおいて、受信側端末から返信メッセージを受信したときに、メッセージに付加されたメッセージＩＤを用いて送信履歴を参照して当該返信メッセージの配信先を決定するようにした。
【００１４】
本発明は、上記メッセージ配信システムを構成するメッセージ配信装置において、データ系のネットワークおよび音声系のネットワークと通信する通信部と、データ系ネットワークまたは音声系ネットワークからメッセージを受信するメッセージ受信部と、データ系ネットワークまたは音声系ネットワークに接続された送信側端末から受信したメッセージの仕様をデータ系ネットワーク又は音声系ネットワークに接続された受信側端末装置のメッセージの仕様に変換するメッセージ変換部と、変換したメッセージを受信側端末へ送信するメッセージ送信部と、ネットワークに接続される端末の通信アドレスまたは内線番号と当該端末のメッセージの仕様を端末ごとに記述した送信履歴を格納したデータベースと、送信側端末から送信メッセージを受信すると端末使用対応表を参照して当該メッセージを受信側端末のメッセージ仕様に変換するとともに、送信履歴に当該メッセージの送信履歴を記述する制御手段を有して構成される。
【発明の効果】
【００１５】
本発明は、音声系ネットワークに接続しているＰＨＳ端末とデータ系ネットワークに接続している無線ＬＡＮ端末同士でメッセージを送受信する場合、すなわちメッセージの仕様が異なる端末同士でメッセージを送受信する場合には、通話する場合の内線番号によって送受信することができ、さらに、返信処理をする場合は送信元の端末種別を意識することなくそのまま返信できるという効果がある。
【発明を実施するための最良の形態】
【００１６】
以下、本発明の実施例について、図面を参照して説明する。図1の概略構成図を用いて、本発明にかかる、メッセージ配信システムの構成の一例を説明する。図1に示すメッセージ配信システムは、ＩＰ（Ｉｎｔｅｒｎｅｔ  Ｐｒｏｔｏｃｏｌ）網を収容可能な構内交換機（Ｉｎｔｅｒｎｅｔ  Ｐｒｏｔｏｃｏｌ−Ｐｒｉｖａｔｅ  Ｂｒａｎｃｈ  Ｅｘｃｈｅｎｇｅ：ＩＰ−ＰＢＸ）を中心機器としたものであり、該ＩＰ−ＰＢＸは、呼制御を司るＩＰ−ＰＢＸ呼制御装置１と、ＩＰ網以外の各種網を収容するＩＰ−ＰＢＸ回線収容装置２から構成されている。但し、ＩＰ網以外の網を収容しない場合は、ＩＰ−ＰＢＸ回線収容装置２は不要となる。
さらに、本システムには、メッセージ変換制御サーバ３と、無線ＬＡＮ用端末基地局４と、パソコン５と、ＩＰ電話機６とを、ＬＡＮ（Ｌｏｃａｌ Ａｒｅａ Ｎｅｔｗｏｒｋ）７を介して相互に接続して構成される。ＩＰ−ＰＢＸ回線収容装置２には、ＰＨＳ端末２１と通信するためのＰＨＳ端末用基地局２０、公衆回線８、アナログ電話機１２などが収容される。無線ＬＡＮ用端末基地局４は無線ＬＡＮ端末４１と通信する。
【００１７】
ＩＰ−ＰＢＸ呼制御装置１は、内線番号に基づいてＬＡＮ７内での呼制御およびＩＰ―ＰＢＸ回線収容装置２を介して公衆回線８、ＰＨＳ端末２１、アナログ電話機２３との呼制御を行う装置である。
【００１８】
ＩＰ−ＰＢＸ回線収容装置２は、音声系内線収容装置としての機能およびＬＡＮ７とのインタフェース機能を有している。さらに、ＩＰ−ＰＢＸ回線収容装置２は、ＰＨＳ端末２１や公衆回線８、アナログ電話機２３とのインタフェース機能を有している。
【００１９】
ＰＨＳ端末用基地局２０は、ＩＰ−ＰＢＸ回線収容装置２に接続され、ＰＨＳ端末２１との間で無線通信を行う無線基地局である。
【００２０】
ＰＨＳ端末２１は、ネットワークが音声系の端末装置であり、メッセージ送受信機能を有し、ＰＨＳ端末用基地局２０との間で無線により音声情報や文字・画像情報などを送受信する手段である。
【００２１】
メッセージ変換制御サーバ（メッセージ配信装置）３は、異なるメッセージの仕様を有する端末装置間でメッセージを配信するときに、送信側端末装置から送られてきたメッセージを相手端末装置の仕様に合わせてメッセージの仕様を変換し、相手端末装置に配信する働きを有している。さらに、メッセージ変換制御サーバ３は、前記相手端末装置からメッセージ変換制御サーバ３あてに送られてきたメッセージを、装置内部に保持している送信者情報を用いて送信側端末装置の仕様に合わせて変換し送信側端末装置へ配信する働きを有している。加えて、メッセージ変換制御サーバ３は、送信側端末からのメッセージにメッセージＩＤを付加して受信側端末装置へ送出するとともに、受信側端末と前記送信メッセージのメッセージＩＤを関連付けて保持しておき、受信側端末から返信メッセージを受信したときに返信メッセージに付加されたメッセージＩＤを参照して送信側端末（返信メッセージの受信側端末）を特定して当該端末へ返信メッセージを送信する機能を有している。
【００２２】
無線ＬＡＮ用端末基地局４は、ＬＡＮ７に接続され無線ＬＡＮ端末４１との間で無線通信を行う無線基地局である。
【００２３】
無線ＬＡＮ端末４１は、接続されるネットワークがデータ系のネットワークである端末装置であり、無線端端末用基地局４との間で無線により音声情報や文字・画像情報などを送受信する端末装置である。
【００２４】
パソコン５は、ＬＡＮ７に接続される端末であり、メッセージを送受信する機能を有している。
【００２５】
ＩＰ電話機６は、ＬＡＮ７接続され、ＶｏＩＰにより音声通信を行う電話機である。
【００２６】
ＬＡＮ７は、ＩＰによるパケットを伝送するネットワークである。
【００２７】
上記メッセージ配信システムにおいて、メッセージを送信する方法として２つの手法がある。ひとつは、パソコン５からＬＡＮ７を経由してメッセージ変換制御サーバ３のメッセージ送信用画面を使用して送信するメッセージを入力し、メッセージ変換制御サーバ３から無線ＬＡＮ端末用基地局４を経由して無線ＬＡＮ端末４１へ、またはメッセージ変換制御サーバ３からＩＰ−ＰＢＸ回線収容装置２およびＰＨＳ端末用基地局２０を経由してＰＨＳ端末２１へメッセージを送信する方法である。もう一方は、ＰＨＳ端末２１からＰＨＳ端末用基地局２０とＩＰ―ＰＢＸ回線収容装置２を経由してメッセージ変換制御サーバ３でメッセージの仕様を受信側端末に合わせて変換した後、ＩＰ−ＰＢＸ呼制御装置１へ接続し、その後、ＬＡＮ７に接続されている無線ＬＡＮ用基地局４を経由して無線ＬＡＮ端末４１へ直接メッセージを送信する方法である。これらの方法は、逆方向の接続もなされる。
【００２８】
ＰＨＳ端末２１同士および無線ＬＡＮ端末４１同士のようにメッセージの仕様が同じ端末装置同士でメッセージを送受信する場合は、メッセージの仕様が統一されていることから、ＩＰ−ＰＢＸ呼制御装置１を介して直接送受信することが可能であるが、ＰＨＳ端末２１と無線ＬＡＮ端末４１同士では、接続されているネットワークが音声系とデータ系で異なって通信プロトコルも相違し、送受信するメッセージの仕様も異なるため直接送受信することはできない。
【００２９】
図２を用いて、メッセージ変換制御サーバ（メッセージ配信装置）３のソフトウェア構成を説明する。メッセージ変換制御サーバ３は、音声系のネットワーク（ＩＰ−ＰＢＸ回線収容装置２）およびデータ系のネットワーク（ＬＡＮ７）へ接続し通信する通信部３１とメッセージ送受信履歴などを保存するデータベース部３３と、様々なデータを記憶保持するＲＡＭ３４と、このサーバ全体の動作を制御する制御部３２を有している。
【００３０】
制御部３２は、メッセージ受信部３２１と、情報検索部３２２と、メッセージ変換部３２３と、メッセージ送信部３２４を有している。
【００３１】
メッセージ受信部３２１は、通信部３１を通じてＬＡＮ７経由で無線ＬＡＮ端末４１またはパソコン５などからのメッセージを受信し、ＩＰ−ＰＢＸ回線収容装置２経由でＰＨＳ端末２１からのメッセージを受信する。
【００３２】
情報検索部３２２は、メッセージを新規送信する場合や返信されたメッセージを配信する場合に、データベース３３に格納された以前の送信履歴から、送信元を検索し配信先を検出するとともに、送信側および受信側端末のそれぞれのメッセージの仕様を検出する。さらに、情報検索部３２２は、受信したメッセージの中のメッセージＩＤを認識しデータベース３３のメッセージ送信履歴から受信側端末の内線番号または通信アドレスなどを検出する。
【００３３】
メッセージ変換部３２３は、送信するメッセージの仕様を送信先端末のメッセージの仕様に合わせて変換する手段である。
【００３４】
メッセージ送信部３２４は、メッセージＩＤが付加された変換後のメッセージを送信するために通信部へメッセージを送信する手段である。
【００３５】
上記制御部３２は、送信側端末から送信メッセージを受信すると端末使用対応表を参照して当該メッセージを受信側端末のメッセージ仕様に変換するとともに、送信履歴に当該メッセージの送信履歴を記述する働きを有している。
【００３６】
データベース３３は、端末を特定する通信アドレスまたは内線番号と当該端末のメッセージの仕様を端末ごとに記述した端末仕様対応表と、送信するメッセージの送信側端末のアドレスまたは内線番号と受信側端末の通信アドレスまたは内線番号と当該メッセージを特徴付けるメッセージＩＤを記述した送信履歴を格納する手段である。
【００３７】
図３を用いて、パソコン５の送信画面からメッセージ送信時に入力する内容について説明する。メッセージ変換制御サーバ３にログインし送信画面５１にて宛先５１１および送信するメッセージの内容５１２などを入力した後、送信ボタン５１３をクリックすることで、作成したメッセージをＬＡＮ７上に送信することができる。同様にＰＨＳ端末２１、無線ＬＡＮ端末４１にも送信画面が用意されており、宛先およびメッセージを入力した後送信ボタンをクリックすることによって作成したメッセージをＩＰ―ＰＢＸ回線収容装置２または無線ＬＡＮ端末用基地局４へ送信することができる。
【００３８】
図４を用いて、ＰＨＳ端末２１でメッセージを受信した場合の画面表示の例について説明する。メッセージ送受信機能を有しているＰＨＳ端末２１には受信メッセージ表示画面２１０が用意されている。一般的に詳細情報としてメッセージ受信日時２１１と、送信元の内線番号２１２と、受信したメッセージ２１３が表示される。この送信元の内線番号はＰＨＳ端末２１から送信した場合は送信した端末の内線番号が表示されるが、メッセージ変換制御サーバ３から送信した場合にはメッセージ変換制御サーバ３に接続されている内線番号が表示される。
【００３９】
図５を用いて、無線ＬＡＮ端末４１でメッセージを受信した場合の画面表示例について説明する。メッセージ送受信機能を有している無線ＬＡＮ端末４１にも受信メッセージ表示画面４１０が用意されている。ＰＨＳ端末とほぼ同じ内容であるが、一般的な詳細情報としてメッセージ受信日時４１１と、送信元の固有識別情報４１２と、受信したメッセージ４１３が表示される。この情報もまたメッセージ変換制御サーバ３から送信したメッセージの場合、メッセージ変換制御サーバ３側で固有に設定されている識別情報が表示される。
【００４０】
図４および図５で説明した内線番号と固有識別情報は別々に管理している情報であり、相手の情報を知っていたとしても直接通信できない。本発明ではＩＰ−ＰＢＸ呼制御装置１とメッセージ変換制御サーバ３を用いることにより、ＰＨＳ端末２１と無線ＬＡＮ端末４１間のメッセージの仕様の差異を吸収し、送信先電話番号または通信アドレスを変換してメッセージの送受信を可能とした。
【００４１】
図６を用いて、送信側端末（例えば、パソコン）５からメッセージ制御サーバ３へメッセージ送信要求があり、メッセージ変換制御サーバ３から受信側端末、例えば、ＰＨＳ端末２１、無線ＬＡＮ端末４１へメッセージを送信してから端末２１，４１にメッセージが受信されるまでの処理の流れと、受信した端末２１，４１から返信した場合の処理の流れについて説明する。
【００４２】
メッセージ送信者がメッセージ変換制御サーバ３が提供しているメッセージ送信画面へログインした後、送信する宛先とメッセージを入力し、送信ボタンをクリックしてメッセージ送信要求をメッセージ変換制御サーバ３へ送信する（Ｓ１０１）。
【００４３】
メッセージ送信要求を受けたメッセージ変換制御サーバ３は、メッセージ配信システム内部で使用するメッセージＩＤを作成し、送信履歴にメッセージ内容をデータベースへ保存する。このメッセージＩＤを保持したメッセージを作成してＩＰ−ＰＢＸ呼制御装置１へメッセージを送信する。また、メッセージ変換制御サーバ３は、この時にそれぞれの送信先の端末種別に合わせたメッセージの仕様でメッセージを作成する。さらに、メッセージ変換制御サーバ３からメッセージを送信する場合は、同じメッセージを複数の端末へ送信することが可能である（Ｓ１０２）。
【００４４】
ＩＰ−ＰＢＸ呼制御装置１は、メッセージ変換制御サーバ３から受信したメッセージをそのまま受信側端末２１，４１へ送信し、受信側端末２１，４１は、それぞれメッセージを受信すると受信処理を実行し、正常に受信したときには、正常応答をＩＰ−ＰＢＸ呼制御装置１へ返す（Ｓ１０３）とともに、受信したメッセージを画面に表示する。この正常応答を、ＩＰ−ＰＢＸ呼制御装置１を経由してメッセージ変換制御サーバ３で受け取り、メッセージの送達状況を結果としてデータベースへ登録する（Ｓ１０４）。
【００４５】
メッセージ受信者が受信したメッセージを利用して返信処理を実行すると、受信したメッセージに含まれているメッセージＩＤを付加した返信メッセージを作成し、ＩＰ−ＰＢＸ呼制御装置１へメッセージを送信する（Ｓ１０５）。この時、ＩＰ−ＰＢＸ呼制御装置１は、受信した呼の内容を確認してメッセージ送信の呼であると判断した場合には返信メッセージをメッセージ変換制御サーバ３へ転送する（Ｓ１０６）。返信メッセージを受信したメッセージ変換制御サーバ３は返信メッセージを送信履歴へ登録した後、メッセージ内に含まれているメッセージＩＤから返信先の情報をデータベースの送信履歴から検索して割り出す。割り出した送信先の端末種別を確認し、その端末種別にあったメッセージ形式へ変換してＩＰ−ＰＢＸ呼制御装置へ戻す（Ｓ１０７）。この時、次の返信に対応するため新たなメッセージＩＤを生成し返信メッセージ含ませる。
【００４６】
ＩＰ−ＰＢＸ呼制御装置１は、変換された返信メッセージを直接返信先端末へ送信する。返信メッセージを受信した送信元の端末５は、受信処理を行い正常応答をＩＰ−ＰＢＸ呼制御装置１へ返すとともに（Ｓ１０８）、受信したメッセージを画面に表示する（Ｓ１０９）。ＩＰ−ＰＢＸ呼制御装置１経由で正常応答を受信したメッセージ変換制御サーバ３は、返信結果を保存して送信処理を終了する（Ｓ１０９）。
【００４７】
以上のように、送信元のユーザがＰＨＳ端末や無線ＬＡＮ端末を所有していない場合には、パソコン５で送受信履歴を確認することで返信メッセージを表示することができる。
【００４８】
図７を用いて、送信側端末から受信側端末へメッセージを送信する場合のメッセージが受信されるまでの処理の流れと、受信川端末から返信メッセージを送信する場合の処理の流れについて説明する。送信側端末であるＰＨＳ端末２１のメッセージ送信画面にて送信メッセージを作成した後、送信するあて先には通話で使用する内線番号を入力してメッセージをＩＰ−ＰＢＸ呼制御装置１へ送信する（Ｓ２０１）。この場合は、メッセージ変換制御サーバ３からメッセージを送信する場合と異なり、送信するメッセージはＩＰ−ＰＢＸ呼制御装置１へ送信要求される。この時、ＩＰ−ＰＢＸ呼制御装置１は受信した呼の内容を確認してメッセージ送信の呼であると判断した場合にはメッセージ変換制御サーバ３へ転送する（Ｓ２０２）。このように送信メッセージを一旦メッセージ変換制御サーバ３を経由させることにより、メッセージ変換制御サーバ３にあらかじめ登録されている端末種類に対応するメッセージ使用情報からそれぞれの送信先端末に合わせた仕様のメッセージを作成することが可能になる。
【００４９】
メッセージ送信要求を受信したメッセージ変換制御サーバ３は、送信先に設定している内線番号から送信先端末の情報を割り出し送信履歴を作成する。その後送信先の端末種別に合わせた仕様にメッセージを変換して、変換したメッセージをＩＰ−ＰＢＸ呼制御装置１へ戻す（Ｓ２０３）。この時、図６においてメッセージ変換制御サーバ３側から送信した時と同様に、メッセージＩＤを生成し送信メッセージ内に保持する。
【００５０】
ＩＰ−ＰＢＸ呼制御装置１は、変換されたメッセージを直接送信先端末４１へ送信する（Ｓ２０４）。送信メッセージを受信した送信先端末４１は、受信処理を行い正常に受信ができたときに正常応答をＩＰ−ＰＢＸ呼制御装置１を経由してメッセージ変換制御サーバ３へ返す。メッセージ変換制御サーバ３は、送信結果を保存して送信処理を終了する（Ｓ２０５）。この送受信処理後の返信処理は図６で説明したステップＳ１０５からステップＳ１０９の処理内容と同様となる（Ｓ２０６）。
【図面の簡単な説明】
【００５１】
【図１】本発明のメッセージ配信システムの概略構成を説明する図。
【図２】本発明のメッセージ変換制御サーバのソフトウェア構成を説明する図。
【図３】本発明のメッセージ変換制御サーバが提供するメッセージ送信画面。
【図４】本発明のＰＨＳ端末メッセージ受信画面例。
【図５】本発明の無線ＬＡＮ端末メッセージ受信画面例
【図６】本発明のメッセージ変換制御サーバからメッセージを送信した場合の処理シーケンス図。
【図７】本発明の端末からメッセージを送信した場合の処理シーケンス図。
【符号の説明】
【００５２】
１：ＩＰ−ＰＢＸ呼制御装置
２：ＩＰ−ＰＢＸ回線収容装置
２０：ＰＨＳ端末用基地局
２１：ＰＨＳ端末
２１０：送信画面
２１１：日時
２１２：内線番号
２１３：メッセージ
２３：アナログ電話機
３：メッセージ変換制御サーバ
３１：通信部
３２：制御部
３２１：メッセージ受信部
３２２：情報検索部
３２３：メッセージ変換部
３２４：メッセ維持送信部
３３：データベース
３４：ＲＡＭ
４：無線ＬＡＮ端末用基地局
４１：無線ＬＡＮ端末
４１０：受信画面
４１１：日時
４１２：送信元アドＰレス
４１３：メッセージ
５：パソコン
５１：送信画面
５１１：宛先
５１２：メッセージ
５１３：送信ボタン
６：ＩＰ電話機
７：ＬＡＮ(Local Area Network)
８：公衆回線
【図１】
2007013268.tif 000003
【図２】
2007013268.tif 000004
【図３】
2007013268.tif 000005
【図４】
2007013268.tif 000006
【図５】
2007013268.tif 000007
【図６】
2007013268.tif 000008
【図７】
2007013268.tif 000009